(57)【要約】【課題】脚周り開口部における着用感・フィット性が良好で、かつ、漏れ防止効果に優れるパンツ型おむつを提供する。【解決手段】前身頃２、股下部４及び後身頃６の各部から構成され、前身頃２と後身頃６の対応する側縁部同士が接合されて、前身頃２と後身頃６との接合部１４、一つのウエスト周り開口部８及び一対の脚周り開口部１０が形成されたパンツ型おむつ１であって、脚周り開口部１０に沿って配置された脚周り伸縮材１２を更に備え、前記接合部１４において、脚周り伸縮材１２の前身頃２側の端部位置１２ａと後身頃６側の端部位置１２ｂとを、少なくとも１箇所、おむつの上下方向にずらして配置したパンツ型おむつ１。【選択図】図２
2007021009.tif 000002
【特許請求の範囲】
【請求項１】
前身頃、股下部及び後身頃の各部から構成され、前記前身頃と前記後身頃の対応する側縁部同士が接合されて、前記前身頃と前記後身頃との接合部、一つのウエスト周り開口部及び一対の脚周り開口部が形成されたパンツ型おむつであって、
前記脚周り開口部に沿って配置された脚周り伸縮材を更に備え、
前記接合部において、前記脚周り伸縮材の前身頃側の端部位置と後身頃側の端部位置とを、少なくとも１箇所、おむつの上下方向にずらして配置したパンツ型おむつ。
【請求項２】
前記前身頃、前記股下部及び前記後身頃の各部を形成するシート状の外装部材と、前記外装部材の前記股下部の少なくとも一部に配置された吸収パッドとを備え、
前記吸収パッドは、液透過性の表面シート、液不透過性の裏面シート及び両シートの間に介装された吸収体とから構成され、
前記外装部材の側縁部同士が接合されて、前記接合部、一つのウエスト周り開口部及び一対の脚周り開口部が形成された請求項１に記載のパンツ型おむつ。
【請求項３】
表面シートと、裏面シートと、両シートの間の少なくとも一部に介装された吸収体とを備え、
前記表面シート及び／又は前記裏面シートによって、前記前身頃、前記股下部及び前記後身頃の各部が形成され、
前記表面シート及び／又は前記裏面シートの側縁部同士が接合されて、前記接合部、一つのウエスト周り開口部及び一対の脚周り開口部が形成された請求項１に記載のパンツ型おむつ。
【請求項４】
前記脚周り伸縮材を複数備え、
前記接合部において、前記脚周り伸縮材の前身頃側の端部位置と後身頃側の端部位置とを、全ての箇所で、おむつの上下方向にずらして配置した請求項１〜３のいずれか一項に記載のパンツ型おむつ。
【発明の詳細な説明】
【技術分野】
【０００１】
本発明は、一つのウエスト周り開口部と一対の脚周り開口部が形成されたパンツ型おむつに関するものである。
【背景技術】
【０００２】
パンツ型おむつとは、例えば、図１に示すパンツ型おむつ１００のように、前身頃２、股下部４及び後身頃６の各部から構成され、前身頃２と後身頃６の対応する側縁部同士が接合されて、一つのウエスト周り開口部８と一対の脚周り開口部１０が形成されたものである。そして、ウエスト周り開口部８と脚周り開口部１０に沿って、糸ゴム等の伸縮材を配置する構成が一般的である（例えば、特許文献１参照）。
【０００３】
このようなパンツ型おむつは、布製のパンツを履かせるのと同様の操作で着用者に装着させることができるため、短時間でおむつの交換を行うことができることに加え、着用者を立たせたままでおむつの交換を行うこともできる。また、テープ型おむつのように、固定テープによってウエスト周り寸法を調節する必要がなく、おむつの交換が容易であるという利点をも有するものである。
【０００４】
しかしながら、前記のようなパンツ型おむつは、脚周り開口部に沿って配置された伸縮材が着用者の肌を刺激して着用感が悪化したり、或いは着用者の肌を傷付けたりする場合があり、脚周り開口部における着用感・フィット性という点で課題があった。この課題は、着用者の脚周り寸法の個体差が大きく、適正寸法の範囲を超えて使用することもある、成人用（高齢者・障害者用）のおむつにおいては、一層顕在化することになる。
【０００５】
そこで、前記の課題を解決するために、脚周り開口部からウエスト方向（おむつ上方）に向かってスリットを形成し、スリットで分割された部分を、粘着テープや面状ファスナー等の連結部材によって着脱可能に連結したパンツ型おむつが提案されている（例えば、特許文献２参照）。
【０００６】
【特許文献１】登録実用新案第３０２４３５７号公報
【特許文献２】実開平６−６５４０９号公報
【発明の開示】
【発明が解決しようとする課題】
【０００７】
特許文献２に記載したパンツ型おむつは、連結部材によって脚周り開口部の寸法を調節可能であるため、着用者の脚周りとおむつの脚周り開口部とをフィットさせ易く、着用感が良好であり、着用者の肌を傷付け難いという効果を期待できる。しかしながら、前記のパンツ型おむつは、スリット部分から排泄物が漏れ出すおそれがあることに加え、衣類とおむつとの擦れ等に起因して連結部材が外れると、スリットが開放されてしまい、脚周り開口部から排泄物が漏れ出すという危険性もあった。即ち、漏れ防止の確実性の点においては十分に満足できるものではなく、未だ解決すべき課題を残すものであった。
【０００８】
このように、現在においては、脚周り開口部における着用感・フィット性が良好で、かつ、漏れ防止の確実性に優れるパンツ型おむつは開示されておらず、そのようなパンツ型おむつが切望されている。本発明は、このような従来技術の課題を解決するためになされたものであって、脚周り開口部における着用感・フィット性が良好で、かつ、漏れ防止の確実性に優れるパンツ型おむつを提供するものである。
【課題を解決するための手段】
【０００９】
本発明者らは、前記のような従来技術の課題を解決するために鋭意検討した結果、前記のような脚周り開口部に沿って伸縮材を配置したパンツ型おむつにおいては、前身頃と後身頃の対応する側縁部同士をヒートシールによって接合することが多く、このヒートシールによって硬化した伸縮材が、脚周りの着用感を悪化させ、着用者の肌を傷付ける一因であるという知見を得た。そして、前身頃と後身頃との接合部における伸縮材の配置を工夫することによって、上記課題が解決されることに想到し、本発明を完成させた。具体的には、本発明により、以下のパンツ型おむつが提供される。
【００１０】
［１］  前身頃、股下部及び後身頃の各部から構成され、前記前身頃と前記後身頃の対応する側縁部同士が接合されて、前記前身頃と前記後身頃との接合部、一つのウエスト周り開口部及び一対の脚周り開口部が形成されたパンツ型おむつであって、前記脚周り開口部に沿って配置された脚周り伸縮材を更に備え、前記接合部において、前記脚周り伸縮材の前身頃側の端部位置と後身頃側の端部位置とを、少なくとも１箇所、おむつの上下方向にずらして配置したパンツ型おむつ。
【００１１】
［２］  前記前身頃、前記股下部及び前記後身頃の各部を形成するシート状の外装部材と、前記外装部材の前記股下部の少なくとも一部に配置された吸収パッドとを備え、前記吸収パッドは、液透過性の表面シート、液不透過性の裏面シート及び両シートの間に介装された吸収体とから構成され、前記外装部材の側縁部同士が接合されて、前記接合部、一つのウエスト周り開口部及び一対の脚周り開口部が形成された前記［１］に記載のパンツ型おむつ。
【００１２】
［３］  表面シートと、裏面シートと、両シートの間の少なくとも一部に介装された吸収体とを備え、前記表面シート及び／又は前記裏面シートによって、前記前身頃、前記股下部及び前記後身頃の各部が形成され、前記表面シート及び／又は前記裏面シートの側縁部同士が接合されて、前記接合部、一つのウエスト周り開口部及び一対の脚周り開口部が形成された前記［１］に記載のパンツ型おむつ。
【００１３】
［４］  前記脚周り伸縮材を複数備え、前記接合部において、前記脚周り伸縮材の前身頃側の端部位置と後身頃側の端部位置とを、全ての箇所で、おむつの上下方向にずらして配置した前記［１］〜［３］のいずれかに記載のパンツ型おむつ。
【発明の効果】
【００１４】
本発明のパンツ型おむつは、脚周り開口部における着用感・フィット性が良好で、かつ、漏れ防止の確実性に優れる。
【発明を実施するための最良の形態】
【００１５】
以下、本発明のパンツ型おむつを実施するための最良の形態について、図面を参照しながら具体的に説明する。但し、本発明はその発明特定事項を備えるパンツ型おむつを広く包含するものであり、以下の実施形態に限定されるものではない。
【００１６】
［１］脚周り伸縮材：
本発明のパンツ型おむつは、例えば、図２に示すパンツ型おむつ１のように、前身頃２、股下部４及び後身頃６の各部から構成され、前身頃２と後身頃６の対応する側縁部同士が接合されて、前身頃２と後身頃６との接合部１４、一つのウエスト周り開口部８及び一対の脚周り開口部１０が形成されている。また、脚周り開口部１０に沿って配置された脚周り伸縮材１２を更に備えている。
【００１７】
そして、本発明のパンツ型おむつにおいては、例えば、図２に示すパンツ型おむつ１のように、前身頃２と後身頃６との接合部１４において、脚周り伸縮材１２の前身頃２側の端部位置１２ａと後身頃６側の端部位置１２ｂとを、少なくとも１箇所、おむつの上下方向にずらして配置している。
【００１８】
従来のパンツ型おむつは、前身頃と後身頃との接合部において、脚周り伸縮材の前身頃側の端部位置と脚周り伸縮材の後身頃側の端部位置とを合致させるように配置することが一般的であった（例えば、特許文献１、図１参照）。
【００１９】
しかしながら、前記のような構成のパンツ型おむつでは、前身頃と後身頃の接合部において、前身頃側の脚周り伸縮材と後身頃側の脚周り伸縮材とが重なり合うために、その分だけ接合部の厚みが増加してしまう。従って、前身頃と後身頃の接合をヒートシールによって行った場合等には、ヒートシールによって硬化した伸縮材が脚周りの着用感を悪化させ、着用者の肌を傷付ける事態が発生するおそれがある。
【００２０】
これに対し、本発明のパンツ型おむつのように、前身頃と後身頃との接合部において、脚周り伸縮材の前身頃側の端部位置と、脚周り伸縮材の後身頃側の端部位置とを、少なくとも１箇所、おむつの上下方向にずらして配置すると、前身頃側の脚周り伸縮材と後身頃側の脚周り伸縮材とが重なり合う部分を少なくすることができ、接合部の厚みの増加を抑制することができる。従って、前身頃と後身頃の接合をヒートシールによって行ったとしても、ヒートシールによって硬化した伸縮材が脚周りの着用感を悪化させ、着用者の肌を傷付ける事態を効果的に防止することができる。即ち、本発明のパンツ型おむつは、脚周り開口部における着用感・フィット性が良好である。
【００２１】
また、本発明のパンツ型おむつは、脚周り開口部における着用感・フィット性が良好であるため、特許文献２に記載のパンツ型おむつのように、脚周り開口部にスリットを形成する必要がない。従って、スリット部分から排泄物が漏れ出したり、連結部材の外れ・スリットの開放により、脚周り開口部から排泄物が漏れ出したりするおそれはなく、漏れ防止の確実性に優れるものである。
【００２２】
以下、本発明のパンツ型おむつの実施形態をより具体的に説明する。例えば、図２に示すパンツ型おむつ１は、脚周り開口部１０に沿って、前身頃２側に三本、後身頃６側に三本の脚周り伸縮材１２が配置されている。このうち、おむつ上側の各一本の脚周り伸縮材１２については、前身頃２と後身頃６との接合部１４において、前身頃２側の端部位置１２ａと後身頃６側の端部位置１２ｂとが合致するように配置されているが、おむつ下側に位置する各二本の脚周り伸縮材１２については、前身頃２側の端部位置１２ａと後身頃６側の端部位置１２ｂとをずらして配置している。
【００２３】
本発明のパンツ型おむつは、脚周り開口部に沿って配置された脚周り伸縮材を備えている。この「脚周り開口部に沿って配置」とは、脚周り伸縮材が脚周り開口部の外縁ないしその近傍に配置されていれば足り、必ずしも脚周り伸縮材が脚周り開口部を完全に取り囲むように連続的に配置されていることを意味するものではない。図３は、前身頃２と後身頃６の対応する側縁部同士を接合する前のパンツ型おむつの中間体の一例を示すものであるが、このおむつ中間体４０のように、前身頃２側に配置された脚周り伸縮材１２と、後身頃側に配置された脚周り伸縮材１２とが別体によって構成されており、これらの脚周り伸縮材１２を後身頃６側と前身頃２側とに各々Ｕ字型、逆Ｕ字型に配置する構成であってもよい。
【００２４】
また、本発明のパンツ型おむつにおいては、脚周り伸縮材の端部位置を、おむつの上下方向にずらして配置することが必要である。この「おむつの上下方向」とは、接合部におけるウエスト周り開口部側を「上」、脚周り開口部側を「下」とした場合の上下方向を意味するものである。
【００２５】
「脚周り伸縮材をずらして配置する」とは、脚周り伸縮材が互いに重なり合わないように配置されていれば足り、ずらした脚周り伸縮材が互いに隣接するように配置されていてもよい。但し、本発明の効果をより確実に享受するためには、ずらした脚周り伸縮材の間に一定の間隔が空いている方が好ましい。その間隔は特に限定されるものではないが、０．５〜１０ｍｍであることが好ましく、１〜５ｍｍであることが更に好ましい。
【００２６】
更に、本発明のパンツ型おむつにおいては、少なくとも１箇所、脚周り伸縮材の端部位置をずらして配置することが必要である。「少なくとも１箇所」であるから、脚周り伸縮材の端部位置が１箇所だけずれているものであってもよいし、２箇所以上ずれているものであってもよい。例えば、図２に示すパンツ型おむつ１は、おむつ下側に位置する各二本の脚周り伸縮材１２の端部位置１２ａ，１２ｂをずらして配置しており、脚周り伸縮材１２の端部位置１２ａ，１２ｂを２箇所ずらして配置した例といえる。
【００２７】
但し、本発明のパンツ型おむつにおいては、例えば図４に示すパンツ型おむつ５０や図５に示すパンツ型おむつ６０のように、脚周り伸縮材１２を複数備え、前身頃２と後身頃６との接合部１４において、脚周り伸縮材１２の前身頃２側の端部位置１２ａと、脚周り伸縮材１２の後身頃６側の端部位置１２ｂとを、全ての箇所で、おむつの上下方向にずらして配置したものが好ましい。脚周り伸縮材の端部位置が合致していない部分が多ければ多いほど、脚周り開口部における着用感・フィット性が向上するからである。
【００２８】
また、図２に示すパンツ型おむつ１では、脚周り伸縮材１２が三本配置された例を示したが、本発明のパンツ型おむつにおいては、前身頃側と後身頃側の各々に少なくとも一本配置されている限り、脚周り伸縮材の配置数に特に制限はない。また、脚周り伸縮材の形状、配置位置、配置数等については左右対称とすることが通常であるが、これらが左右非対称なものも本発明の範囲に含まれる。
【００２９】
更に、本発明のパンツ型おむつにおいては、前身頃側の脚周り伸縮材と後身頃側に配置された脚周り伸縮材の配置数が同じであることを要しない。例えば、図５に示すパンツ型おむつ６０は、前身頃２側に二本、後身頃６側に三本の脚周り伸縮材１２が配置されており、前身頃側の脚周り伸縮材と後身頃側に配置された脚周り伸縮材の配置数が異なる例を示すものである。但し、脚周りの締め付け具合を前身頃側と後身頃側とで一定にする方が着用感に優れ、漏れ防止にも効果的である点を考慮すると、図２に示すパンツ型おむつ１、図４に示すパンツ型おむつ５０や図６に示すパンツ型おむつ７０のように、前身頃２側の脚周り伸縮材１２と後身頃６側に配置された脚周り伸縮材１２の配置数が同じであることが好ましい。
【００３０】
また、本発明のパンツ型おむつは、例えば、図４に示すパンツ型おむつ５０や図５に示すパンツ型おむつ６０のように、脚周り伸縮材１２を複数備え、前身頃２と後身頃６との接合部１４において、脚周り伸縮材１２の前身頃２側の端部位置１２ａと、脚周り伸縮材１２の後身頃６側の端部位置１２ｂとを、おむつの上下方向に向かって、交互に配置したものが好ましい。このように配置すると、脚の付け根と脚周り伸縮材との接触部位がほぼ均等に分散されるため、肌に対する擦れ等に起因するスキントラブルが減少するという利点がある。
【００３１】
但し、脚周り伸縮材について、必ずしも前身頃側の端部位置と後身頃側の端部位置とを交互に配置する必要はない。例えば、図６に示すパンツ型おむつ７０は、脚周り開口部１０に沿って、前身頃２側に三本、後身頃６側に三本の脚周り伸縮材１２が配置されているが、脚周り伸縮材１２の端部位置１２ａ，１２ｂは、おむつ下側から上側に向かって、後身頃６側、後身頃６側、前身頃２側、前身頃２側の順で配置され、交互には配置されていない例である。
【００３２】
以上のことを勘案すると、図４に示すパンツ型おむつ５０のように、脚周り伸縮材１２を複数備え、かつ、前身頃２側の脚周り伸縮材１２と後身頃６側に配置された脚周り伸縮材１２の配置数が同じであり、前身頃２と後身頃６との接合部１４において、脚周り伸縮材１２の前身頃２側の端部位置１２ａと、脚周り伸縮材１２の後身頃６側の端部位置１２ｂとが、全ての箇所で、おむつの上下方向にずらして配置され、更に、脚周り伸縮材１２の前身頃２側の端部位置と、脚周り伸縮材１２の後身頃６側の端部位置とを、おむつの上下方向に向かって、交互に配置した形態が特に好ましい。
【００３３】
脚周り伸縮材としては、非伸長状態を１００％とした場合の伸長率が１３０〜５００％の範囲内の材料を用いることが好ましく、伸長率が２００〜３００％の範囲内の材料を用いることが更に好ましい。伸長率が１３０〜５００％の範囲内の材料を用いることによって、脚周り伸縮材は着用者の動きに追従して伸縮することが可能となる。従って、脚周りに隙間が形成され難くなり、脚周りからの尿漏れを効果的に防止することができる。一方、伸長率が１３０％未満の材料を用いた場合には、脚周り伸縮材の弾性力が不十分となり易いため、脚周りに隙間が形成され易いことに加え、着用者がおむつを履く際に、脚周り開口部を十分に開口させることが困難となり、おむつが履き難くなるおそれがある。また、伸長率が５００％を超える材料を用いた場合には、脚周り開口部が必要以上に縮小されるためにおむつを履き難くなるばかりか、着用者の脚周りを締め付け過ぎるため肌が赤くなる等のスキントラブルが発生するおそれがある。
【００３４】
このような条件を満たす限り、構成材料や形状は特に限定されないが、例えば、天然ゴムや合成ゴム（ウレタンゴム等）等の弾性材から構成された糸ゴムや平ゴム、或いは伸縮性フィルム等を挙げることができる。これらの中では、糸ゴム又は平ゴムが好ましい。なお、糸ゴムの太さとしては、３１０〜３７３０デシテックスのものが好ましく、４７０〜１２４０デシテックスのものが更に好ましい。平ゴムとしては、その幅が０．５〜５．０ｍｍのものが好ましく、０．８〜３．０ｍｍのものが更に好ましい。また、平ゴムの厚さは、０．１〜１．０ｍｍのものが好ましく、０．２〜０．５ｍｍのものが更に好ましい。
【００３５】
なお、複数の脚周り伸縮材を用いる場合、その太さや伸長率等も目的に応じて、前記範囲の中から適宜設定すればよく、全て同じものを用いる必要はない。
【００３６】
通常、脚周り伸縮材は、外装部材等に対して、接着剤その他の手段により固定される。固定方法としては、例えば、ホットメルト接着剤、澱粉系ないしカルボキシメチルセルロース（ＣＭＣ）のような水溶性の糊、その他の流動性の高い接着剤を用いた接着であってもよいし、熱や超音波等による溶着であってもよい。
【００３７】
［２］パンツ型おむつの全体構成：
以下、本発明のパンツ型おむつの脚周り伸縮材以外の構成について説明する。本発明のパンツ型おむつは、図２に示すパンツ型おむつ１のように、前身頃２、股下部４及び後身頃６の各部が形成されている。本明細書においては、「前身頃」は、着用者におむつを装着した際に、着用者の腹側（身体前方）を覆う部分を意味し、「股下部」は、着用者におむつを装着した際に、着用者の股下を覆う部分を意味し、「後身頃」は、着用者におむつを装着した際に、着用者の背側（身体後方）を覆う部分を意味するものとする。
【００３８】
パンツ型おむつは、通常、図３に示すような、平面状のおむつ中間体４０を製造し、その前身頃２と後身頃６の対応する側縁部同士（即ち、側縁部２ａと側縁部６ａ、側縁部２ｂと側縁部６ｂ）を接合することによって製造される。このような接合を行うことにより、図２に示すパンツ型おむつ１のように、前身頃２と後身頃６との接合部１４が形成され、これによって一つのウエスト周り開口部８と一対の脚周り開口部１０が形成されたパンツ型おむつ１を得ることができる。
【００３９】
接合の形式としては、図１に示すパンツ型おむつ１００のように、前身頃２と後身頃６の双方の側縁部がおむつ外側に突出した状態で接合してもよいし、或いは、前身頃の側縁部が後身頃の表面に、後身頃の側縁部が前身頃の表面に積層されるように接合してもよい。前記の接合は、通常はヒートシールによって行われるが、ホットメルト接着剤や超音波溶融等を利用して接合してもよく、これらの方法を適宜組み合わせて接合してもよい。
【００４０】
既に述べたように、本発明のパンツ型おむつは、脚周り開口部に沿って配置された脚周り伸縮材を必須の構成要素として備えるが、更に、図２に示すパンツ型おむつ１のように、ウエスト周り開口部８に沿って配置されたウエスト周り伸縮材２０を備える構成が一般的である。ウエスト周り伸縮材２０を備えると、着用者へのおむつのフィット性が良好となり、おむつのずり下がりが防止されるため好ましい。また、図１に示すパンツ型おむつ１００のように、着用者の腹周りに沿って配置された複数の腹周り伸縮材１１を備える構成も好ましい。腹周り伸縮材１１を備えると、着用者の腹周りに伸縮性に富む腹周りギャザーを形成することができ、おむつのフィット性やずり下がり防止効果を一層優れたものとすることができる。なお、ウエスト周り伸縮材や腹周り伸縮材の構成材料や形状については、脚周り伸縮材と同様の構成を採用することができる。
【００４１】
パンツ型おむつは、着用者の排泄物を吸収し、保持する吸収・保持機能と、着用者の身体を被包する装着機能の双方を備えていることが必要である。そして、パンツ型おむつの具体的な形態としては、吸収・保持機能を担う吸収パッドが、装着機能を担う外装部材から分離された別体として構成されている形態のもの（本明細書においては「２ピース型」と称することにする）と、吸収・保持機能を担う吸収体が、装着機能を担う表面シート及び／又は裏面シートの間に介装（内蔵）され、これらが一体的に構成されている形態のもの（本明細書においては「一体型」と称することにする）とが知られている。本発明のパンツ型おむつは、そのいずれの形態にも適用することができる。
【００４２】
［３］２ピース型のパンツ型おむつの構成：
まず、２ピース型のパンツ型おむつの構成について説明する。図３は、２ピース型のパンツ型おむつのおむつ中間体の例を示す一部切り欠き平面図である。この図３に示すおむつ中間体４０のように、２ピース型のパンツ型おむつは、前身頃２、股下部４及び後身頃６の各部を形成するシート状の外装部材１８と、外装部材１８の股下部４に配置された吸収パッド１６とを備えている。そして、吸収パッド１６は、液透過性の表面シート２２、液不透過性の裏面シート２４及び両シートの間に介装された吸収体２６とから構成されている。また、外装部材１８の股下部４の両側には、半円状の切り欠き部３２が形成されている。
【００４３】
このようなおむつ中間体４０の前身頃２と後身頃６の対応する側縁部同士（即ち、側縁部２ａと側縁部６ａ、側縁部２ｂと側縁部６ｂ）、即ち、外装部材１８の側縁部同士を接合することによって、前身頃２と後身頃６との接合部、一つのウエスト周り開口部（おむつ中間体４０の上下端縁部に由来する）と、一対の脚周り開口部（おむつ中間体４０の切り欠き部３２に由来する）が形成されたパンツ型おむつを得ることができる。このような２ピース型のパンツ型おむつは、外装部材と吸収パッドを別個に製造した上で、外装部材の股下部に吸収パッドを貼着する等の方法により製造可能であるため、製造が容易であるという利点がある。また、後述する一体型のパンツ型おむつと比較して、裏面シートによって着用者の肌が覆われる面積を少なくすることができるので、おむつ内部の蒸れも緩和することができるというメリットもある。
【００４４】
［３−１］外装部材：
本明細書において「外装部材」というときは、前身頃、股下部及び後身頃の各部を形成するシート状の部材を意味する。即ち、２ピース型のパンツ型おむつにおいては、外装部材が着用者の身体を被包するための装着機能を担うことになる。
【００４５】
２ピース型のパンツ型おむつでは、着用者の排泄物を吸収し、保持する吸収・保持機能については、専ら吸収パッドが果たすことになるので、外装部材を構成する材料として液不透過性の材料を用いる必要はない。外装部材を構成する材料としては、例えば、ポリエチレン、ポリプロピレン、ポリエステル、その他の熱可塑性樹脂からなる合成繊維によって構成された不織布等を挙げることができる。そして、外装部材としては、通常、２枚以上の不織布を貼り合わせることによって形成する。２枚以上の不織布を貼り合わせる場合には、同じ材質、目付けのものを貼り合わせてもよいし、材質や目つけの異なる複数種の不織布を貼り合わせたものを用いてもよい。図３に示すおむつ中間体４０は、外装部材１８を２枚の不織布から構成し、その２枚の不織布の間に脚周り伸縮材１２、ウエスト周り伸縮材２０及び腹周り伸縮材１１を配置した例である。
【００４６】
［３−２］吸収パッド：
本明細書において「吸収パッド」というときは、外装部材の少なくとも股下部に配置される、外装部材から分離された別体として構成されている小型の吸収性物品を意味する（「吸収性本体」と称される場合もある）。即ち、２ピース型のパンツ型おむつにおいては、吸収パッドが着用者の排泄物を吸収し、保持する吸収・保持機能を担うことになる。吸収パッドは、液透過性の表面シート、液不透過性の裏面シート及び両シートの間に介装された吸収体とから構成されることが一般的である。この吸収パッドは、例えばホットメルト接着剤等を用いて、外装部材に対して固定することができる。この際、吸収パッドは、その両側縁部（図３でいえばパッドの左右両側縁）を外装部材の股下部に対して固定（接着）してもよいし、その両縁端部（図３でいえばパッドの上下両縁端）を外装部材の前身頃及び後身頃に固定してもよい。
【００４７】
［３−２Ａ］表面シート：
表面シートは、吸収パッドの外面を構成するシートのうち、着用者の肌との接触面側に配置されるシートである。表面シートは、その下面側に配置された吸収体に、着用者の排泄物を吸収させる必要から、その少なくとも一部が着用者の排泄物を透過させ得る液透過性の材料によって構成される。
【００４８】
表面シートを構成する液透過性の材料としては、例えば、織布、不織布、多孔性フィルム等を挙げることができる。中でも、合成繊維から構成された不織布であることが好ましい。この合成繊維としては、例えば、ポリプロピレン、ポリエチレン、ポリエステル、ナイロン等の成分からなる樹脂が挙げられ、これらの１種の成分のみからなる単繊維であってもよいし、２種以上の成分からなる複合繊維であってもよい。中でも、高強度であるという理由から、ポリエステル／ポリプロピレン、ポリエステル／ポリエチレン、ポリプロピレン／ポリエチレンの複合繊維が好ましい。不織布の種類についても特に制限はなく、エアースルー（カード熱風）、カードエンボス、スパンボンド等の各種製法によって製造された従来公知の不織布を好適に用いることができる。
【００４９】
［３−２Ｂ］裏面シート：
裏面シートは、吸収パッドの外面を構成するシートのうち、外装部材との接触面側に配置されるシートである。裏面シートは、着用者の排泄物がおむつ外部に漏洩してしまうことを防止する必要から、少なくとも吸収体の下面近傍が液不透過性の材料によって構成される。
【００５０】
裏面シートを構成する液不透過性の材料としては、例えば、ポリエチレン等の合成樹脂からなる液不透過性フィルム等を挙げることができる。また、おむつ内部の蒸れを防止するために、透湿性のある液不透過性フィルムを用いることも好ましい形態の一つである。透湿性のある液不透過性フィルムの例としては、ポリエチレン樹脂に炭酸カルシウム等のフィラーを加えて混練し、押し出した後、延伸することにより製造される微多孔性ポリエチレンフィルム等を挙げることができる。この微多孔性ポリエチレンフィルムは、０．１〜数μｍの微細な孔を多数有しており、湿気やガスは透過させるが、耐水圧内では水を透過させない撥水性シートである。
【００５１】
［３−２Ｃ］吸収体：
吸収体は、着用者の排泄物を吸収し、保持するための部材であり、既述の両シート（即ち、表面シートと裏面シート）の間に介装される。吸収体は、着用者の排泄物を吸収し保持する必要から、吸収性の材料によって構成される。
【００５２】
吸収体を構成する吸収性の材料としては、パンツ型おむつ、その他の吸収性物品に通常使用される従来公知の吸収性材料、例えば、フラッフパルプ（綿状パルプ）、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。
【００５３】
フラッフパルプは、例えば、パルプシートを粉砕機で解繊することにより、その繊維長を５ｍｍ以下としたもの等を好適に用いることができる。この際に用いるパルプシートは、化学パルプシートでも機械パルプシートでもよく、そのパルプ原料についても、針葉樹、広葉樹、わら、竹、ケナフ、古紙等、通常パルプ原料として用いられるものであれば特に制限なく用いることができる。フラッフパルプの使用量は、吸収体の構成により異なるが、５０〜４００ｇ／ｍ2とすることが一般的である。
【００５４】
ＳＡＰとしては、デンプン系、セルロース系、合成樹脂系のＳＡＰが知られており、これらのいずれを用いてもよい。具体的には、デンプン−アクリル酸（塩）グラフト共重合体、デンプン−アクリル酸エチルグラフト共重合体のケン化物、デンプン−メタクリル酸メチルグラフト共重合体のケン化物、デンプン−アクリロニトリルグラフト共重合体のケン化物、デンプン−アクリルアミドグラフト共重合体のケン化物、ポリアクリル酸（塩）、アクリル酸で架橋されたポリエチレンオキシド、ナトリウムカルボキシメチルセルロースの架橋物、ポリビニルアルコール−無水マレイン酸反応物の架橋物等を用いることができる。中でも、自重の２０倍以上の水分を吸収し得る高い吸収性能を有する、ポリアクリル酸ナトリウムを用いることが好ましい。
【００５５】
親水性シートとしては、例えば、ティシュ、吸収紙、親水化処理を行った不織布等を挙げることができる。中でも、坪量が１０〜３０ｇ／ｍ2の範囲内のものを用いることが好ましい。
【００５６】
これらの吸収性材料は、通常、単層ないしは複層のマット状として用いられる。この際、前記の吸収性材料のうち１種を単独で用いてもよいし、２種以上を併用してもよい。中でも、フラッフパルプを主体とし、ＳＡＰを併用したものが好ましい。この際、ＳＡＰはフラッフパルプの各マット中に均一に混合されていてもよいし、複層のフラッフパルプの層間に層状に配置されていてもよい。ＳＡＰの量は、乾燥したフラッフパルプ１００質量部に対して１０〜５００質量部とすることが好ましく、１５〜３００質量部とすることがより好ましい。このような量とすることにより、ＳＡＰの粒子は相互の干渉が最小限に留められるため、粒子が透過障壁を形成することが少なく、排泄物を３次元方向に透過させ、吸収させることが可能となる。
【００５７】
なお、本発明のパンツ型おむつにおいては、吸収体の全体を親水性シートにより包み込む構成とすることが好ましい。このような構成は、吸収体からＳＡＰが漏洩することを防止し、吸収体に形状安定性を付与することができるという利点がある。
【００５８】
吸収体の形状は、例えば、矩形やひょうたん型等、従来のパンツ型おむつ、その他の吸収性物品に通常使用される形状であればいかなる形状でも採用することができる。また、通常、吸収体は左右対称形状のものが用いられるが、特にこのようなものには限定されず、左右非対称な形状のものであってもよい。
【００５９】
なお、吸収体には、その上面側に（例えば、吸収体と表面シートとの間に）、排泄物等の液体を拡散させるためのシートを付帯的に配置してもよい。本明細書においては、このようなシートを、特に「セカンドシート」と称することにする。このセカンドシートを付設すると、着用者の姿勢等に起因して、表面シート下面側の空間が十分に形成されないような場合でも、排泄物等の吸収速度が低下し難く、吸収速度の低下による排泄物等の漏れを防止することが可能となる。
【００６０】
セカンドシートを構成する材料としては、親水性で液透過性の材料、例えば、織布、不織布、多孔性プラスチック、フラッフパルプ等を挙げることができる。これらの構成素材としては、ポリプロピレン、ポリエチレン、ポリエステル、レーヨン、パルプ、或いはこれらの複合繊維等を挙げることができる。パルプとしては、カーリーセルロースファイバー等のけん縮繊維を好適に用いることができる。
【００６１】
［３−２Ｄ］立体ギャザー：
吸収パッドには、その両側縁に沿って立体ギャザーを配置してもよい。この立体ギャザーによって、着用者の排泄物のおむつ外部への漏洩、特に、股下部からの漏れが効果的に防止される。
【００６２】
立体ギャザーを構成する材料としては、表面シートの項で例示した液透過性の材料を用いることもできるが、防漏性を向上させるため、撥水性の材料を用いることが好ましい。撥水性の素材としては、スパンボンドやカードエンボス等の不織布を用いることもできるが、耐水圧の高いという理由から、ＳＭＳ（スパンボンド／メルトブロー／スパンボンド）、ＳＭＭＳ（スパンボンド／メルトブロー／メルトブロー／スパンボンド）等の不織布を用いることが好ましい。また、液透過性の材料や撥水性の材料に対して、プラスチックフィルムを貼り合わせた液不透過性の材料を用いてもよい。
【００６３】
なお、立体ギャザーは、吸収パッドの表面シートや裏面シートを折り返すことにより形成してもよいし、全く別個の部材を貼り合わせて形成してもよい。例えば、図３に示すおむつ中間体４０は、表面シート２２や裏面シートとは別個の部材である撥水性の不織布により立体ギャザー２８を形成した例である。
【００６４】
この立体ギャザーは、通常、図３に示すおむつ中間体４０のように、吸収パッド１６の両側縁部全域に渡って配置されるが、股下部からの漏れを防止するという目的から、少なくとも股下部に配置されていればよい。なお、立体ギャザーは、吸収パッドの両側縁に沿って少なくとも一対配置することが好ましいが、二対以上配置してもよい。
【００６５】
立体ギャザーの高さは、５〜８０ｍｍとすることが好ましく、１０〜４０ｍｍとすることが更に好ましい。５ｍｍ以上とすることにより、十分な防漏効果を確保することができることに加え、８０ｍｍ以下とすることによって、立体ギャザーが吸収パッド表面を覆って吸収効果を阻害したり、立体ギャザーが脚周り伸縮材の外側にはみ出して、排泄物のおむつ外部への流路となり、漏れの原因となったりする不具合を防止することができる。
【００６６】
一方、立体ギャザーの高さが８０ｍｍを超えるような場合には、立体ギャザーが、吸収パッド表面を覆ってしまうことに起因して、却って漏れトラブルの原因となるおそれがある。また、立体ギャザーが、脚周り伸縮材を越えておむつの外側にはみ出した場合等には、その部分に空隙（孔）が生じ、排泄物のおむつ外部への流路が形成されるため、尿漏れの原因となってしまうおそれがある。
【００６７】
立体ギャザーはおむつの内側に向かって傾倒する内倒しギャザーであってもよいし、おむつの外側に向かって傾倒する外倒しギャザーであってもよい。また、高さ方向の一部に、曲げ部や折り返し部を形成した立体ギャザー（Ｃ折りギャザーやＺ折りギャザー等）とすることもできる。例えば、図３に示すおむつ中間体４０は、立体ギャザー２８を内倒しギャザーとした例である。
【００６８】
なお、図３に示すおむつ中間体４０は、立体ギャザー２８の形状、高さ、配置位置、配置数等を左右対称とした例を示したが、これらが左右非対称なものも本発明の範囲に含まれる。
【００６９】
立体ギャザーには、立体ギャザー伸縮材を付設することが好ましい。立体ギャザー伸縮材としては、既に述べた脚周り伸縮材と同様のものを用いることができる。立体ギャザー伸縮材は、一つの立体ギャザーにつき、単数配置しても複数配置してもよい。複数の立体ギャザー伸縮材を配置する場合、その太さや伸長率等も目的に応じて適宜設定すればよく、全て同じものを用いる必要はない。
【００７０】
立体ギャザー伸縮材の配置位置については特に制限はなく、立体ギャザーの上端部に配置してもよいし、立体ギャザーの起立線近傍に配置してもよいし、立体ギャザーの上端部と起立線との間（具体的には、Ｃ折りギャザーやＺ折りギャザーの曲げ部や折り返し部等）に配置してもよい。例えば、図３に示すおむつ中間体４０は、立体ギャザー２８の上端部を折り返し、その折り返し部分に立体ギャザー伸縮材３０を配置した例である。
【００７１】
［４］一体型のパンツ型おむつの構成：
次いで、一体型のパンツ型おむつの構成について説明する。一体型のパンツ型おむつは、表面シートと裏面シートと、両シートの間の少なくとも一部に介装された吸収体とを備えている。そして、表面シート及び／又は裏面シートによって、前身頃、股下部及び後身頃の各部が形成されている。即ち、一体型のパンツ型おむつでは、着用者の身体を被包する装着機能を、表面シート及び／又は裏面シートが担っており、これらの両シートの間に吸収・保持機能を担う吸収体が介装（内蔵）されて、一体的に構成されている。
【００７２】
一体型のパンツ型おむつについても、２ピース型のパンツ型おむつと同様の方法により製造することができる。即ち、表面シートと裏面シートと、両シートの間の少なくとも一部に介装された吸収体とを備える積層体を、図３に示すおむつ中間体４０に準じた構造を有する平面状のおむつ中間体とし、その前身頃と後身頃の対応する側縁部同士、即ち、表面シート及び／又は前記裏面シートの側縁部同士を接合することによって、前身頃と後身頃との接合部、一つのウエスト周り開口部及び一対の脚周り開口部が形成されたパンツ型おむつを得ることができる。
【００７３】
一体型のパンツ型おむつは、表面シート、吸収体及び裏面シートが別体の（独立した）吸収パッドを構成していないことを除き、２ピース型のパンツ型おむつに準じて構成することができる。従って、以後の説明においては、２ピース型のパンツ型おむつと同様の構成については割愛し、２ピース型のパンツ型おむつと異なる構成、即ち、一体型のパンツ型おむつに固有の構成についてのみ言及することにする。
【００７４】
［４−１］表面シート：
一体型のパンツ型おむつにける表面シートは、着用者の肌との接触面側に配置されるシートである。この表面シートについては、既に述べた吸収パッドの表面シートと同様の構成を採用することができる。表面シートは、その下面側に配置された吸収体に、着用者の尿や体液を吸収させる必要から、少なくとも一部（通常、吸収体の上面近傍）については、着用者の尿や体液を透過させ得る液透過性の材料によって構成される。換言すれば、少なくとも一部が液透過性の材料によって構成されている限り、必ずしも表面シート全体が液透過性の材料で構成されている必要はない。
【００７５】
一体型のパンツ型おむつにおいては、着用者の肌との接触面全体が単一の表面シートによって構成されていてもよいが、複数の表面シートによって構成されていてもよい。例えば、吸収体が配置されるおむつ中央部と、その両側に張り出した部分（サイドフラップと称される場合がある）とを異なる表面シートによって構成されていてもよい（各々の表面シートは「センターシート」、「サイドシート」と称される場合がある）。このように、複数の表面シートを備えている場合には、各々の表面シートが同一の材料・素材によって構成されていてもよいし、異なる材料・素材によって構成されていてもよい。例えば、センターシートを液透過性の材料によって構成し、サイドシートを撥水性の材料によって構成する形態等もよく利用される。
【００７６】
［４−２］裏面シート：
裏面シートは、衣類との接触面側に配置されるシートである。裏面シートは、着用者の排泄物がおむつ外部に漏洩してしまうことを防止する必要から、少なくとも吸収体の下面近傍については、液不透過性の材料によって構成される。例えば、表面シートのセンターシートに対応する部分を液不透過性の材料によって構成する形態等もよく利用される。
【００７７】
なお、一体型のパンツ型おむつにおいては、裏面シートの外面側に、裏面シートと異なる材料によって構成されたシートを貼り合わせてもよい（「カバーシート」と称される場合がある）。このカバーシートによって、裏面シートを補強する効果や、おむつの手触り（触感）を向上させる効果を付与することができる。カバーシートを構成する材料としては、例えば、織布、不織布等を挙げることができる。中でも、ポリエチレン、ポリプロピレン、ポリエステル等の熱可塑性樹脂からなる乾式不織布、湿式不織布を好適に用いることができる。
【００７８】
［４−３］吸収体：
一体型のパンツ型おむつにおいては、吸収体は、既述の両シート（即ち、表面シートと裏面シート）の間の少なくとも一部に介装される。より具体的には、吸収体は少なくとも股下部に介装され、この吸収体が腹部や背部にまで及んでいてもよい。吸収体は、着用者の排泄物を吸収し保持する必要から、既述の吸収性材料によって構成される。
【００７９】
［４−４］立体ギャザー：
一体型のパンツ型おむつには、おむつの長手方向に沿って、少なくとも股下部に、少なくとも一対の立体ギャザーを配置することが好ましい。
【００８０】
一体型のパンツ型おむつにおいては、立体ギャザーは、センターシートやサイドシート等の表面シートを折り返すことにより形成してもよい。但し、立体ギャザーは、防漏性を確保する観点から、撥水性ないし液不透過性の材料で構成することが好ましい。例えば、サイドシートを撥水性材料で構成し、そのサイドシートを折り返して立体ギャザーを形成することも好ましい形態の一つである。また、立体ギャザーは、裏面シート等の表面シート以外の部材を折り返すことにより形成してもよいし、全く別個の部材を貼り合わせて形成してもよい。
【００８１】
一体型のパンツ型おむつにおいては、股下部からの漏れを防止するため、少なくとも股下部に立体ギャザーが配置されていればよいが、前身頃や後身頃に配置されていてもよい。また、立体ギャザーは、一対配置することが通常であるが、二対以上配置してもよい。
【００８２】
［５］製造方法：
以下、本発明のパンツ型おむつを製造する方法の一例を、２ピース型のパンツ型おむつを連続的に製造する場合の例により説明する。２ピース型のパンツ型おむつは、図３に示すおむつ中間体４０と同様に、吸収パッド１６と外装部材１８という二つのピースから構成されている。そして、このような２ピース型のパンツ型おむつは、図３に示すおむつ中間体４０が、図面左右方向に向かって複数個、連続的に配置されたような構造を呈する「おむつ連続体」から製造することができる。以下、適宜、図３を参照しながら説明する。
【００８３】
図３に示す吸収パッド１６は、以下のような方法で得ることができる。まず、複数個の吸収パッド１６が長手方向に向かって連続的に配置された、吸収パッド連続体を製造する。具体的には、裏面シートとなる長尺のシート材（裏面シート材）の上面に、その裏面シート材の長手方向に沿って、親水性シートに包まれた複数の吸収体を断続的に配置する。更にその上面に表面シート２２となる長尺のシート材（表面シート材）を配置し、各吸収体の周縁部を裏面シート材と表面シート材とで挟み込むように封着する。こうすることにより、複数の吸収パッド１６が長手方向に向かって連続的に配置された、吸収パッド連続体を得ることができる。
【００８４】
前記の工程と並行して、吸収パッド連続体の両側縁部に、図３に示す立体ギャザー２８を付設する。具体的には、その折り返し部分に立体ギャザー伸縮材３０が挟み込まれた別体のシート材を予め用意しておき、この別体のシート材を吸収パッド連続体の両側縁部（図３に示す吸収パッド１６でいえば左右両側）に接着することによって立体ギャザー２８を付設する。
【００８５】
最後に、吸収パッド連続体を複数の吸収体の間隙部（裏面シート材と表面シート材とによって封着された部分）で切り離すことによって、個別に分離された複数の吸収パッド１６を得る。このようにして、表面シート２２、裏面シート及び両シートの間に介装された吸収体から構成された吸収パッド１６を複数得ることができる。
【００８６】
これとは別に、複数の外装部材１８が長手方向に向かって連続的に配置された、外装部材連続体を製造する。まず、外装部材１８となる長尺の不織布を２枚用意し、このうちの１枚の不織布の上面に、ウエスト周り伸縮材２０、腹周り伸縮材１１及び脚周り伸縮材１２を伸長状態で連続的に配置して接着固定していく（図３に示すおむつ中間体４０の場合であれば、各伸縮材は、図面横方向に向かって連続的に配置されていくことになる）。この際、脚周り伸縮材１２は、外装部材１８の前身頃２と後身頃６とを接合する際に、脚周り伸縮材１２の前身頃２側の端部位置と後身頃６側の端部位置とが、少なくとも１箇所、おむつの上下方向にずれるように配置する。そして、この上面に、更にもう１枚の不織布を積層し固定することにより、２枚の不織布の間に、ウエスト周り伸縮材２０、腹周り伸縮材１１及び脚周り伸縮材１２が介装され、複数の外装部材１８が長手方向（図３でいえば図面横方向）に向かって連続的に配置された、外装部材連続体を得ることができる。
【００８７】
前記のようにして得られた外装部材連続体に対して、所定の間隔で、複数の吸収パッド１６を断続的に配置し固定する。この際、吸収パッド１６は、その長手方向が外装部材連続体の形成方向（図３でいえば図面横方向）と直交するように配置される。その後、外装部材連続体における複数の吸収パッド１６の間隙部を、脚周り伸縮材１２に沿って打ち抜いて略円形の開口部を形成することにより、おむつ中間体４０が複数個、連続的に配置された構造を呈するおむつ連続体を得る。なお、前記開口部は、後におむつ中間体４０の切り欠き部３２、ひいてはパンツ型おむつの脚周り開口部となる。
【００８８】
前記のおむつ連続体は、吸収パッド１６を内側にして、前身頃２と後身頃６とを合わせるように二つ折りにした後、複数の吸収パッド１６の間隙部において、前身頃２と後身頃６とをヒートシール等の手段により接合し、接合部を形成する。おむつ連続体を前記接合部に沿って切り離すことによって、個別に分離された複数のパンツ型おむつを得る。このようにして、前身頃２と後身頃６の対応する側縁部同士（即ち、側縁部２ａと側縁部６ａ、側縁部２ｂと側縁部６ｂ）が接合されて、前身頃２と後身頃６との接合部、一つのウエスト周り開口部（おむつ中間体４０の上下端縁部に由来する）と、一対の脚周り開口部（おむつ中間体４０の切り欠き部３２に由来する）が形成されたパンツ型おむつを製造することができる。
【産業上の利用可能性】
【００８９】
本発明のパンツ型おむつは、乳幼児用のおむつ、ないしは介護を必要とする高齢者や障害者等の成人用のおむつとして利用することが可能である。そして、本発明のパンツ型おむつは、脚周り開口部における着用感・フィット性が良好で、かつ、漏れ防止効果に優れるので、脚周りサイズの個体差が大きい、成人用のおむつとして特に好適に用いることができる。
【図面の簡単な説明】
【００９０】
【図１】パンツ型おむつの一般的な構成を示す斜視図である。
【図２】本発明のパンツ型おむつの一の実施形態を示す概略斜視図であり、おむつの側方から見た状態を示すものである。
【図３】おむつ中間体の例を示す平面図であり、おむつ中間体を展開し、吸収パッド側から見た状態を示すものである。
【図４】本発明のパンツ型おむつの別の実施形態を示す概略斜視図であり、おむつの側方から見た状態を示すものである。
【図５】本発明のパンツ型おむつの更に別の実施形態を示す概略斜視図であり、おむつの側方から見た状態を示すものである。
【図６】本発明のパンツ型おむつの更にまた別の実施形態を示す概略斜視図であり、おむつの側方から見た状態を示すものである。
【符号の説明】
【００９１】
１：パンツ型おむつ、２：前身頃、２ａ，２ｂ：側縁部、４：股下部、６：後身頃、６ａ，６ｂ：側縁部、８：ウエスト周り開口部、１０：脚周り開口部、１１：腹周り伸縮材、１２：脚周り伸縮材、１２ａ：（脚周り伸縮材の前身頃側の）端部位置、１２ｂ：（脚周り伸縮材の後身頃側の）端部位置、１４：接合部、１６：吸収パッド、１８：外装部材、２０：ウエスト周り伸縮材、２２：表面シート、２８：立体ギャザー、３０：立体ギャザー伸縮材、３２：切り欠き部、４０：おむつ中間体、５０，６０，７０，１００：パンツ型おむつ。
【図１】
2007021009.tif 000003
【図２】
2007021009.tif 000004
【図３】
2007021009.tif 000005
【図４】
2007021009.tif 000006
【図５】
2007021009.tif 000007
【図６】
2007021009.tif 000008